(57)【要約】【課題】一つの内部計器の動作状態をオペレータに認識させ易い表示としながら、他の内部計器の動作状態の異常をオペレータに認識させることができること。【解決手段】オペレータステーション３は、操作入力部３２によって受け付けられた一つのウィンドウの拡大操作に応じて、一つのウィンドウを拡大して表示部３１に表示させるとともに、拡大表示したウィンドウの表示領域とは異なる表示領域に他のウィンドウを表示部３１にカスケード表示させる第２画面生成部３５２Ｂを備える。第２画面生成部３５２Ｂは、他のウィンドウに対応する制御ブロックの動作状態に異常が生じている場合に、当該異常が生じている制御ブロックに対応するウィンドウの表示領域に当該異常を示す異常情報を付加する。【選択図】図２
2015011507.tif 000002
【特許請求の範囲】
【請求項１】
複数の制御ブロックに従って制御対象を制御する制御装置から、前記複数の制御ブロックの各動作状態を示す複数の状態情報を取得する情報取得部と、
前記情報取得部によって取得された前記複数の状態情報のうち少なくとも１つの状態情報を含む表示ブロックを前記制御ブロック毎にそれぞれ生成し、生成した複数の前記表示ブロックを表示部に表示させる第１画面生成部と、
前記第１画面生成部によって生成された前記複数の表示ブロックのうち指定された表示ブロックの拡大操作を受け付ける操作入力部と、
前記操作入力部によって受け付けられた前記拡大操作に応じて、前記指定された表示ブロックを拡大して前記表示部に表示させるとともに、拡大表示した前記表示ブロックの表示領域とは異なる表示領域に他の前記表示ブロックを前記表示部にカスケード表示させる第２画面生成部と、を備え、
前記第２画面生成部は、
前記他の表示ブロックに対応する制御ブロックの動作状態に異常が生じている場合に、当該異常が生じている制御ブロックに対応する前記表示ブロックの表示領域に当該異常を示す異常情報を付加する
ことを特徴とする画像表示装置。
【請求項２】
前記第２画面生成部は、
前記表示部に前記他の表示ブロックをカスケード表示させている際に、前記他の表示ブロックに対応する制御ブロックの動作状態に異常が生じた場合には、当該異常が生じた制御ブロックに対応する表示ブロックを最前面に位置付ける
ことを特徴とする請求項１に記載の画像表示装置。
【請求項３】
前記第２画面生成部は、
前記異常が生じた制御ブロックに対応する表示ブロックが最前面に位置していない場合には、当該表示ブロックの表示位置を変更し、当該表示ブロックが最前面に位置するように前記他の表示ブロックを前記表示部に再度、カスケード表示させる
ことを特徴とする請求項２に記載の画像表示装置。
【請求項４】
前記複数の制御ブロックのうち、前記表示部に表示させる表示対象を設定する表示設定部を備え、
前記第１画面生成部及び前記第２画面生成部は、
前記表示設定部にて表示対象として設定された制御ブロックに対応した表示ブロックを前記表示部に表示させる
ことを特徴とする請求項１〜３のいずれか一つに記載の画像表示装置。
【請求項５】
前記第２画面生成部は、
前記他の表示ブロックの数が所定の数以上である場合に、前記拡大表示した表示ブロックの表示領域とは異なる表示領域に前記他の表示ブロックを前記表示部にカスケード表示させ、
前記他の表示ブロックの数が前記所定の数未満である場合に、前記拡大表示した表示ブロックの表示領域とは異なる表示領域に前記他の表示ブロックを前記表示部にタイル表示させる
ことを特徴とする請求項１〜４のいずれか一つに記載の画像表示装置。
【請求項６】
複数の制御ブロックに従って制御対象を制御する制御装置と、
請求項１〜５のいずれか一つに記載の画像表示装置とを備える
ことを特徴とする監視システム。
【請求項７】
複数の制御ブロックに従って制御対象を制御する制御装置から、前記複数の制御ブロックの各動作状態を示す複数の状態情報を取得する情報取得ステップと、
前記情報取得ステップで取得した前記複数の状態情報のうち少なくとも１つの状態情報を含む表示ブロックを前記制御ブロック毎にそれぞれ生成し、生成した複数の前記表示ブロックを表示部に表示させる第１画面生成ステップと、
前記第１画面生成ステップで生成した前記複数の表示ブロックのうち指定された表示ブロックの拡大操作を操作入力部が受け付けた場合に、前記指定された表示ブロックを拡大して前記表示部に表示させるとともに、拡大表示した前記表示ブロックの表示領域とは異なる表示領域に他の前記表示ブロックを前記表示部にカスケード表示させる第２画面生成ステップとを画像表示装置に実行させ、
前記第２画面生成ステップでは、
前記他の表示ブロックに対応する制御ブロックの動作状態に異常が生じている場合に、当該異常が生じている制御ブロックに対応する前記表示ブロックの表示領域に当該異常を示す異常情報を付加する
ことを特徴とする画像表示プログラム。
【発明の詳細な説明】
【技術分野】
【０００１】
本発明は、画像表示装置、監視システム、及び画像表示プログラムに関する。
【背景技術】
【０００２】
従来、プラントを対象とするプロセスの制御や監視を行うためのプラント監視システムとして、プロセスの制御を担当する制御装置と、ヒューマンマシンインターフェースとしてのオペレータステーションとを備えた分散型制御システムが利用されている。
具体的に、制御装置は、プラントに分散配置され、プラントを構成する各種機器に接続されたセンサ等の各種計測機器や、バルブ開閉器及び火力調整器等の各種調整機器と接続する。そして、制御装置は、各種計測機器の各測定値を認識しながら、プロセスの制御処理を司るプログラム等で構成される複数の制御ブロックを展開して当該制御ブロックに従って各種調整機器を制御する。
また、制御装置は、複数の制御ブロックの各動作状態に関する複数の状態情報（各種計測機器の各測定値、制御パラメータである目標値や操作出力値等）をオペレータステーションに出力する。
【０００３】
オペレータステーションは、液晶ディスプレイ等の表示部を備えたＰＣ(Personal Computer)等で構成され、制御装置から取得した状態情報に基づく制御ブロックの動作状態を示す画面を表示部に表示し、オペレータにプラントの稼動状態を確認させる。
ここで、オペレータステーションによる状態情報を示す画面の表示形式として、グループパネル及びループパネルと呼ばれる２つの表示形式が提案されている（例えば、非特許文献１参照）。
グループパネルは、状態情報のうち一部の情報のみが含まれた計器図と呼ばれる制御ブロック毎のウィンドウ（表示ブロック）をタイル表示した画面である。
ループパネルは、特定の制御ブロックにおける状態情報の略全ての情報が含まれたウィンドウを一画面で構成した画面である。
すなわち、オペレータは、表示部に表示されたグループパネルにより複数の制御ブロックの主な動作状態を統括的に監視しつつ、特定の制御ブロックの動作状態の詳細を把握したい場合、マウス等を用いた操作により、グループパネルからループパネルに画面を切り替える。
【先行技術文献】
【特許文献】
【０００４】
【非特許文献１】富士電機システムズ株式会社  オープン統合化制御システム  ＦＯＣＵＳ  ＦＯＣＵＳ−Ｐ  取扱説明書＜オペレーション編＞  改定７版  ２００６年７月「第３節  グループパネル」P.2
【発明の概要】
【発明が解決しようとする課題】
【０００５】
しかしながら、非特許文献１に記載の表示形式では、グループパネルからループパネルに画面を切り替えた場合には、特定の制御ブロックの動作状態のみが表示されることとなり、グループパネルで表示していた他の制御ブロックの動作状態については一切、表示されない。すなわち、ループパネルが表示されている状態では、他の制御ブロックの動作状態に異常が生じている場合であっても、オペレータは、当該異常を認識することができない、という問題がある。
【０００６】
本発明は、上記に鑑みてなされたものであって、一つの制御ブロックの動作状態をオペレータに認識させ易い表示としながら、他の制御ブロックの動作状態の異常をオペレータに認識させることができる画像表示装置、監視システム、及び画像表示プログラムを提供することを目的とする。
【課題を解決するための手段】
【０００７】
上述した課題を解決し、目的を達成するために、本発明に係る画像表示装置は、複数の制御ブロックに従って制御対象を制御する制御装置から、前記複数の制御ブロックの各動作状態を示す複数の状態情報を取得する情報取得部と、前記情報取得部によって取得された前記複数の状態情報のうち少なくとも１つの状態情報を含む表示ブロックを前記制御ブロック毎にそれぞれ生成し、生成した複数の前記表示ブロックを表示部に表示させる第１画面生成部と、前記第１画面生成部によって生成された前記複数の表示ブロックのうち指定された表示ブロックの拡大操作を受け付ける操作入力部と、前記操作入力部によって受け付けられた前記拡大操作に応じて、前記指定された表示ブロックを拡大して前記表示部に表示させるとともに、拡大表示した前記表示ブロックの表示領域とは異なる表示領域に他の前記表示ブロックを前記表示部にカスケード表示させる第２画面生成部と、を備え、前記第２画面生成部は、前記他の表示ブロックに対応する制御ブロックの動作状態に異常が生じている場合に、当該異常が生じている制御ブロックに対応する前記表示ブロックの表示領域に当該異常を示す異常情報を付加することを特徴とする。
【０００８】
また、本発明に係る画像表示装置は、上記発明において、前記第２画面生成部は、前記表示部に前記他の表示ブロックをカスケード表示させている際に、前記他の表示ブロックに対応する制御ブロックの動作状態に異常が生じた場合には、当該異常が生じた制御ブロックに対応する表示ブロックを最前面に位置付けることを特徴とする。
【０００９】
また、本発明に係る画像表示装置は、上記発明において、前記第２画面生成部は、前記異常が生じた制御ブロックに対応する表示ブロックが最前面に位置していない場合には、当該表示ブロックの表示位置を変更し、当該表示ブロックが最前面に位置するように前記他の表示ブロックを前記表示部に再度、カスケード表示させることを特徴とする。
【００１０】
また、本発明に係る画像表示装置は、上記発明において、前記複数の制御ブロックのうち、前記表示部に表示させる表示対象を設定する表示設定部を備え、前記第１画面生成部及び前記第２画面生成部は、前記表示設定部にて表示対象として設定された制御ブロックに対応した表示ブロックを前記表示部に表示させることを特徴とする。
【００１１】
また、本発明に係る画像表示装置は、上記発明において、前記第２画面生成部は、前記他の表示ブロックの数が所定の数以上である場合に、前記拡大表示した表示ブロックの表示領域とは異なる表示領域に前記他の表示ブロックを前記表示部にカスケード表示させ、前記他の表示ブロックの数が前記所定の数未満である場合に、前記拡大表示した表示ブロックの表示領域とは異なる表示領域に前記他の表示ブロックを前記表示部にタイル表示させることを特徴とする。
【００１２】
また、本発明に係る監視システムは、複数の制御ブロックに従って制御対象を制御する制御装置と、上述した画像表示装置とを備えることを特徴とする。
【００１３】
また、本発明に係る画像表示プログラムは、複数の制御ブロックに従って制御対象を制御する制御装置から、前記複数の制御ブロックの各動作状態を示す複数の状態情報を取得する情報取得ステップと、前記情報取得ステップで取得した前記複数の状態情報のうち少なくとも１つの状態情報を含む表示ブロックを前記制御ブロック毎にそれぞれ生成し、生成した複数の前記表示ブロックを表示部に表示させる第１画面生成ステップと、前記第１画面生成ステップで生成した前記複数の表示ブロックのうち指定された表示ブロックの拡大操作を操作入力部が受け付けた場合に、前記指定された表示ブロックを拡大して前記表示部に表示させるとともに、拡大表示した前記表示ブロックの表示領域とは異なる表示領域に他の前記表示ブロックを前記表示部にカスケード表示させる第２画面生成ステップとを画像表示装置に実行させ、前記第２画面生成ステップでは、前記他の表示ブロックに対応する制御ブロックの動作状態に異常が生じている場合に、当該異常が生じている制御ブロックに対応する前記表示ブロックの表示領域に当該異常を示す異常情報を付加することを特徴とする。
【発明の効果】
【００１４】
本発明に係る画像表示装置は、操作入力部が指定された表示ブロックの拡大操作を受け付けた場合に、当該一つの表示ブロックを拡大して表示部に表示させる。このため、一つの制御ブロックの動作状態をオペレータに認識させ易い表示とすることができる。
また、他の表示ブロックについては、表示部にカスケード表示させ、動作状態に異常が生じている場合には、当該異常が生じている制御ブロックに対応する表示ブロックの表示領域に異常を示す異常情報を付加する。このため、他の制御ブロックの動作状態の異常をオペレータに認識させることができる。
以上のことから、一つの制御ブロックの動作状態をオペレータに認識させ易い表示としながら、他の制御ブロックの動作状態の異常をオペレータに認識させることができる、という効果を奏する。
【００１５】
本発明に係る監視システムは、上述した画像表示装置を備えているため、上述した画像表示装置と同様の効果を奏する。
本発明に係る画像表示プログラムは、上述した画像表示装置にて実行されるプログラムであるため、上述した画像表示装置と同様の効果を奏する。
【図面の簡単な説明】
【００１６】
【図１】図１は、本発明の実施の形態に係るプラント監視システムを模式的に示す図である。
【図２】図２は、図１に示したオペレータステーションの構成を示すブロック図である。
【図３】図３は、本発明の実施の形態に係る画像表示方法を示すフローチャートである。
【図４】図４は、図３に示すステップＳ２で生成されるグループパネルの一例を示す図である。
【図５】図５は、図４に示すグループパネルの生成に用いられる第１ウィンドウの一例を示す図である。
【図６】図６は、図３に示すステップＳ８で生成されるループパネルの一例を示す図である。
【図７】図７は、図６に示すループパネルの生成に用いられる第２ウィンドウの一例を示す図である。
【図８】図８は、図６に示すループパネルの一部を拡大した図である。
【図９】図９は、図３に示すステップＳ１２で再生成されたループパネルの一例を示す図である。
【図１０】図１０は、本発明の実施の形態の変形例に係るループパネルを示す図である。
【図１１】図１１は、本発明の実施の形態の変形例に係るループパネルを示す図である。
【図１２】図１２は、本発明の実施の形態の変形例に係るループパネルを示す図である。
【図１３】図１３は、本発明の実施の形態の変形例に係るループパネルを示す図である。
【発明を実施するための形態】
【００１７】
以下に、図面を参照して、本発明を実施するための形態（以下、実施の形態）について説明する。なお、以下に説明する実施の形態によって本発明が限定されるものではない。さらに、図面の記載において、同一の部分には同一の符号を付している。
【００１８】
〔監視システムの概略構成〕
図１は、本発明の実施の形態に係るプラント監視システムを模式的に示す図である。
プラント監視システム１は、鉄鋼プラントや化学プラント等のプラントＰ（図１）を対象とするプロセスの制御や監視を行う分散型制御システムであり、複数の制御装置２（図１では２つの制御装置２のみを図示）と、オペレータステーション３とを備える。
そして、複数の制御装置２及びオペレータステーション３は、図１に示すように、制御ネットワーク４に接続され、各種データを送受信可能に構成されている。
【００１９】
また、プラント監視システム１は、制御装置２及びオペレータステーション３の他、データベースステーション５及びプリンタ６を備える。
データベースステーション５は、制御ネットワーク４に接続され、制御装置２から送信されたデータ（アラームの履歴情報や数値のトレンド情報等）を蓄積する装置である。
また、オペレータステーション３、データベースステーション５、及びプリンタ６は、情報ネットワーク７に接続されている。このため、プラント監視システム１では、各ステーション３，５内部の各種データをプリンタ６で印刷可能であり、さらに、各ステーション３，５間で各種データの送受信が可能である。
【００２０】
〔制御装置の構成〕
制御装置２は、プラントＰに分散配置され、プラントＰを構成する各種機器Ｐ１，Ｐ２（図１では２つの機器Ｐ１，Ｐ２のみを図示）に接続されたセンサ等の各種計測機器（図示略）や、バルブ開閉器及び火力調整器等の各種調整機器（図示略）と接続する。
そして、制御装置２は、各種計測機器の各測定値を認識しながら、複数の制御ブロックを展開し、当該制御ブロックに従って各種調整機器（各種機器Ｐ１，Ｐ２）を制御する。
ここで、制御ブロックは、プロセスの制御処理を司るプログラム等で構成されるものであり、ＰＩＤ制御ブロック等を含む。
また、制御ブロックは、制御装置２内に用意された内部計器（プロセスの制御を行うフィードバック制御計器やシーケンス制御を行う計器、スイッチ計器等）とも呼ばれるものであり、以下では、内部計器と記載する。
【００２１】
また、制御装置２は、複数の内部計器の動作状態に関する複数の状態情報と当該状態情報にそれぞれ関連付けられ内部計器を識別するための複数のＴＡＧ情報（ＴＡＧ番号等）とを、制御ネットワーク４を介して、各ステーション３，５に送信する。
ここで、状態情報は、計測機器の測定値と、制御パラメータである目標値や操作出力値と、測定値、目標値、及び操作出力値に対する各上限値や各下限値等の監視値と、監視値に対するアラーム（異常を示す異常情報）等を含むものである。
【００２２】
〔オペレータステーションの構成〕
図２は、図１に示したオペレータステーション３の構成を示すブロック図である。
オペレータステーション３は、オペレータにプラントＰの稼動状態を確認させる装置であり、本発明に係る画像表示装置として機能する。
このオペレータステーション３は、図２に示すように、表示部３１と、操作入力部３２と、第１通信部３３と、第２通信部３４と、制御部３５と、メモリ部３６とを備える。
表示部３１は、液晶ディスプレイ等を用いて構成され、制御部３５による制御の下、オペレータにプラントＰの稼動状態を確認させるための画面を表示する。
操作入力部３２は、キーボード及びマウス等を用いて構成され、オペレータによる操作を受け付ける。
【００２３】
第１通信部３３は、本発明に係る情報取得部として機能する部分であり、制御部３５による制御の下、制御ネットワーク４を介して、複数の制御装置２との間で各種データを送受信する。そして、制御装置２から送信され、第１通信部３３にて受信した複数の状態情報及び複数のＴＡＧ情報は、メモリ部３６に記憶される。
第２通信部３４は、制御部３５による制御の下、情報ネットワーク７を介して、データベースステーション５やプリンタ６との間で各種データを送受信する。
メモリ部３６は、オペレータステーション３を動作させるための各種プログラム（画像表示プログラムも含む）、プログラムの実行中に使用される各種データ等を記憶する。
ここで、プログラムの実行中に使用される各種データとしては、表示部３１の表示に用いられる画像が含まれる。
この画像として、例えば、メニュー画面に関する画像や、複数の内部計器のうち表示対象とする内部計器の選択を促す表示対象選択画面に関する画像が挙げられる。また、グループパネルやループパネルの生成に用いられる第１ウィンドウ及び第２ウィンドウに関する画像が挙げられる。
【００２４】
制御部３５は、ＣＰＵ(Central Processing Unit)等を用いて構成され、操作入力部３２によって入力された指示信号に応じてオペレータステーション３を構成する各部に対応する指示やデータの転送等を行ってオペレータステーション３の動作を統括的に制御する。
この制御部３５は、図２に示すように、表示設定部３５１と、表示制御部３５２と、制御パラメータ変更部３５３等を備える。
表示設定部３５１は、制御装置２内に用意された複数の内部計器のうち、表示部３１に表示させる表示対象を設定する。
例えば、表示対象選択画面（図示略）が表示部３１に表示されている際に、オペレータによる操作入力部３２の操作により選択された内部計器を表示対象として設定する。そして、表示設定部３５１は、設定した表示対象に関する情報（表示対象とされた各内部計器の各ＴＡＧ情報）をメモリ部３６に記憶する。
【００２５】
表示制御部３５２は、オペレータによる操作入力部３２の操作に応じて、メモリ部３６に記憶された画像を読み出し、表示部３１に種々の画面（メニュー画面、表示対象選択画面、グループパネル、及びループパネル等）を表示させる。
なお、図２では、表示制御部３５２の機能として、本発明の要部のみ、すなわち、グループパネル（第１画面）を表示させる第１画面生成部３５２Ａ、及びループパネル（第２画面）を表示させる第２画面生成部３５２Ｂのみを図示している。
第１画面生成部３５２Ａは、メモリ部３６に記憶された情報を用いて、内部計器の動作状態及び内部計器を識別する識別情報を示す第１ウィンドウを、表示対象とする内部計器毎にそれぞれ生成する。
なお、第１ウィンドウの生成に用いる情報は、メモリ部３６に記憶された第１ウィンドウに関する画像、複数の状態情報、当該状態情報に関連付けられたＴＡＧ情報、及び表示対象とされた各内部計器の各ＴＡＧ情報である。
そして、第１画面生成部３５２Ａは、生成した複数の第１ウィンドウをタイル表示したグループパネルを表示部３１に表示させる。
【００２６】
第２画面生成部３５２Ｂは、オペレータによる操作入力部３２の操作（操作入力部３２によって入力されたグループパネル中の一つの第１ウィンドウにおける表示面積の拡大を指示する指示信号）に応じて、ループパネルを構成し、当該ループパネルを表示部３１に表示させる。
具体的に、第２画面生成部３５２Ｂは、メモリ部３６に記憶された第２ウィンドウに関する画像及び状態情報を用いて、上記一つの第１ウィンドウの表示面積を拡大した第２ウィンドウを生成する。
また、第２画面生成部３５２Ｂは、グループパネル中の上記一つの第１ウィンドウを除く他の複数の第１ウィンドウをカスケード表示（少しずつずらしながら重ねて表示）するとともに、当該カスケード表示した複数の第１ウィンドウと、第２ウィンドウとを並べたループパネルを表示部３１に表示させる。
以上説明した第１，第２ウィンドウは、本発明に係る表示ブロックに相当する。
【００２７】
制御パラメータ変更部３５３は、第１通信部３３の動作を制御し、制御パラメータを変更する制御信号を制御装置２に送信させる。
例えば、制御パラメータ変更部３５３は、グループパネルやループパネルが表示部３１に表示されている際に、オペレータによる操作入力部３２の操作により、内部計器の目標値や操作出力値が変更された場合に、上記制御信号を送信させる。
そして、制御装置２は、当該制御信号に応じて制御パラメータを変更し、変更した制御パラメータを用いて、制御を実施する。
【００２８】
〔オペレータステーションの動作〕
次に、上述したオペレータステーション３の動作（画像表示方法）について説明する。
図３は、本発明の実施の形態に係る画像表示方法を示すフローチャートである。
なお、以下では、グループパネル及びループパネルの表示を主に説明し、その他の画面の表示については、説明を簡略化する。また、表示設定部３５１は、オペレータによる操作入力部３２の操作により、表示対象を既に設定しているものとする。以下では、表示対象として、１０個の内部計器が選択されたものとして説明する。
先ず、第１通信部３３は、制御ネットワーク４を介して、制御装置２から送信される複数の状態情報及び複数のＴＡＧ情報を順次、受信（取得）し（ステップＳ１：情報取得ステップ）、メモリ部３６に順次、記憶する。
続いて、メニュー画面が表示部３１に表示されている際に、オペレータによる操作入力部３２の操作（操作入力部３２によって入力されたグループパネルの表示を指示する指示信号）に応じて、第１画面生成部３５２Ａは、以下に示すように、グループパネルを生成する（ステップＳ２）。
【００２９】
図４は、図３に示すステップＳ２で生成されるグループパネルの一例を示す図である。
なお、図４では、第１ウィンドウＷ１Ａ〜Ｗ１Ｊ内部にそれぞれ表示される情報を省略し、各第１ウィンドウＷ１Ａ〜Ｗ１Ｊのレイアウトを示している。
具体的に、第１画面生成部３５２Ａは、表示対象とされた１０個の内部計器のＴＡＧ情報のうち、一つのＴＡＧ情報をメモリ部３６から読み出すとともに、当該ＴＡＧ情報に関連付けられた状態情報をメモリ部３６から読み出す。
また、第１画面生成部３５２Ａは、メモリ部３６から第１ウィンドウに関する画像を読み出す。
【００３０】
図５は、図４に示すグループパネルの生成に用いられる第１ウィンドウの一例を示す図である。
ここで、メモリ部３６に記憶された第１ウィンドウに関する画像は、例えば、以下に示すように構成されている。
例えば、ＰＩＤ制御内部計器に対応する第１ウィンドウＷ１Ａに関する画像は、図５に示すように、各表示領域ＴＬ，Ｖ１〜Ｖ３，Ｇ１、及びパラメータ変更アイコンＵＡ，ＤＡ等がウィンドウ内に配置された画像である（具体的には、非特許文献１参照）。
表示領域ＴＬは、内部計器を識別するタイトル（識別情報）を示す領域であり、ウィンドウ内の上側に配置されている。
表示領域Ｖ１〜Ｖ３は、測定値ＰＶ、目標値ＳＶ、及び操作出力値ＭＶをそれぞれ示す領域である。
表示領域Ｇ１は、測定値ＰＶ、目標値ＳＶ、及び測定値ＰＶの上下限範囲等を棒グラフで示す領域である。
【００３１】
パラメータ変更アイコンＵＡ，ＤＡは、目標値ＳＶや操作出力値ＭＶの増減を促すアイコンである。
オペレータによる操作入力部３２の操作（マウス操作）によって、パラメータ変更アイコンＵＡ，ＤＡが操作された場合には、制御パラメータ変更部３５３は、制御パラメータを変更する制御信号を、第１通信部３３から制御装置２に送信させる。
なお、オペレータによる操作入力部３２の操作（キーボード操作）によって、表示領域Ｖ２，Ｖ３の値が変更された場合にも、制御パラメータ変更部３５３は、制御パラメータを変更する制御信号を、第１通信部３３から制御装置２に送信させる。
【００３２】
そして、第１画面生成部３５２Ａは、上記読み出したＴＡＧ情報に基づくタイトル（例えば、ＰＩＤ制御内部計器）を表示領域ＴＬに表示する。
また、第１画面生成部３５２Ａは、上記読み出した状態情報のうち一部の情報に基づいて、各表示領域Ｖ１〜Ｖ３に表示すべき値を演算する。そして、第１画面生成部３５２Ａは、演算結果をそれぞれ各表示領域Ｖ１〜Ｖ３に表示する。
さらに、第１画面生成部３５２Ａは、上記読み出した状態情報のうち一部の情報に基づいて、表示領域Ｇ１に表示すべき棒グラフを生成する。そして、第１画面生成部３５２Ａは、生成した棒グラフを表示領域Ｇ１に表示する。
【００３３】
以上のような処理を繰り返すことで、第１画面生成部３５２Ａは、表示対象とされた全ての内部計器に関する第１ウィンドウＷ１Ａ〜Ｗ１Ｊを生成する。
そして、第１画面生成部３５２Ａは、図４に示すように、生成した第１ウィンドウＷ１Ａ〜Ｗ１Ｊをタイル表示するとともに、タイル表示した複数の第１ウィンドウＷ１Ａ〜Ｗ１Ｊの下方にグループパネルＧＰの表示の終了操作を促す終了アイコンＥＡを表示したグループパネルＧＰを生成する。
続いて、第１画面生成部３５２Ａは、生成したグループパネルＧＰを表示部３１に表示させる（ステップＳ３）。
以上説明したステップＳ２，Ｓ３は、本発明に係る第１画面生成ステップに相当する。
【００３４】
続いて、制御部３５は、表示部３１に表示された画面の切替操作があったか否かを判断する（ステップＳ４）。
具体的に、制御部３５は、ステップＳ４において、オペレータによる操作入力部３２の操作（マウス操作）により、複数の第１ウィンドウＷ１Ａ〜Ｗ１Ｊのいずれかの表示位置にマウスカーソルが位置付けられ、マウスのクリック操作があったか否かを判断する。
すなわち、制御部３５は、操作入力部３２が複数の第１ウィンドウＷ１Ａ〜Ｗ１Ｊのうち一つの第１ウィンドウにおける表示面積の拡大を指示する拡大操作を受け付けたか否かを判断する。
ステップＳ４において「Ｎｏ」と判断された場合には、第１画面生成部３５２Ａは、メモリ部３６に記憶された複数の状態情報のうち、表示対象とされた内部計器の状態情報にアラームが含まれているか否かを判断する（ステップＳ５）。
すなわち、第１画面生成部３５２Ａは、ステップＳ５において、表示対象とされた内部計器の動作状態に異常が生じたか否かを判断する。
【００３５】
第１画面生成部３５２Ａは、ステップＳ５において「Ｙｅｓ」と判断した場合には、動作状態に異常が生じた内部計器をオペレータに認識させるために、グループパネルＧＰを再生成する（ステップＳ６）。
例えば、第１画面生成部３５２Ａは、表示対象とされた内部計器に対応する複数の第１ウィンドウＷ１Ａ〜Ｗ１Ｊのうち、動作状態に異常が生じた内部計器に対応する第１ウィンドウにおける枠の表示色を他の第１ウィンドウとは異なる表示色に変更したグループパネルＧＰを構成する。
そして、第１画面生成部３５２Ａは、ステップＳ３へ移行し、再生成したグループパネルＧＰを表示部３１に表示させる。
【００３６】
一方、表示対象とされた内部計器の動作状態に異常が生じていないと判断された場合（ステップＳ５：Ｎｏ）には、制御部３５は、オペレータによる操作入力部３２の操作により、グループパネルＧＰの表示の終了操作があったか否かを判断する（ステップＳ７）。
具体的に、制御部３５は、ステップＳ７において、オペレータによる操作入力部３２の操作（マウス操作）により、終了アイコンＥＡの表示位置にマウスカーソルが位置付けられ、マウスのクリック操作があったか否かを判断する。
制御部３５は、ステップＳ７において「Ｎｏ」と判断した場合にはステップＳ３へ移行してグループパネルＧＰの表示を継続し、ステップＳ７において「Ｙｅｓ」と判断した場合にはグループパネルＧＰの表示を終了してメニュー画面を表示部３１に表示させる。
【００３７】
ステップＳ４に戻って、画面の切替操作があったと判断された場合（ステップＳ４：Ｙｅｓ）には、第２画面生成部３５２Ｂは、以下に示すように、ループパネルを生成する（ステップＳ８）。
図６は、図３に示すステップＳ８で生成されるループパネルの一例を示す図である。
なお、図６では、画面の切替操作として、操作入力部３２が第１ウィンドウＷ１Ａにおける表示面積の拡大を指示する拡大操作を受け付けた場合でのループパネルＬＰを示している。また、図６では、図４と同様に、第１ウィンドウＷ１Ｂ〜Ｗ１Ｊ及び第２ウィンドウＷ２内部にそれぞれ表示される情報を省略し、各第１ウィンドウＷ１Ｂ〜Ｗ１Ｊ及び第２ウィンドウＷ２のレイアウトを示している。
具体的に、第２画面生成部３５２Ｂは、複数の第１ウィンドウＷ１Ａ〜Ｗ１Ｊのうち表示面積の拡大を指示された第１ウィンドウＷ１Ａに対応する状態情報及び当該状態情報に関連付けられたＴＡＧ情報をメモリ部３６から読み出す。
また、第２画面生成部３５２Ｂは、メモリ部３６から第２ウィンドウに関する画像を読み出す。
【００３８】
図７は、図６に示すループパネルの生成に用いられる第２ウィンドウの一例を示す図である。
ここで、メモリ部３６に記憶された第２ウィンドウに関する画像は、例えば、以下に示すように構成されている。
例えば、ＰＩＤ制御内部計器に対応する第２ウィンドウＷ２に関する画像は、図７に示すように、第１ウィンドウＷ１Ａ、各表示領域ＴＬ，Ｖ１〜Ｖ４，Ｇ２等がウィンドウ内に配置された画像である（具体的には、非特許文献１参照）。
第１ウィンドウＷ１Ａは、上記説明した第１ウィンドウと同様の画像であり、ウィンドウ内の右側に配置されている。
各表示領域ＴＬ，Ｖ１〜Ｖ３は、第１ウィンドウＷ１Ａ内の表示領域ＴＬ，Ｖ１〜Ｖ３と同様の情報を表示する領域である。
表示領域Ｖ４は、測定値ＰＶ、目標値ＳＶ、及び操作出力値ＭＶの各上下限値ＰＨ，ＰＬ，ＳＨ，ＳＬ，ＭＨ，ＭＬ、偏差に関するデータＤＶ，ＤＨ，ＤＴＩ等をそれぞれ示す領域である。
表示領域Ｇ２は、測定値ＰＶ、目標値ＳＶ、及び操作出力値ＭＶの時間変化をトレンドグラフで示す領域である。そして、測定値ＰＶ、目標値ＳＶ、及び操作出力値ＭＶの各トレンドグラフには、それぞれを識別するためのタグＧ２Ｐ，Ｇ２Ｓ，Ｇ２Ｍが付されている。
【００３９】
そして、第２画面生成部３５２Ｂは、上記読み出したＴＡＧ情報に基づくタイトル（例えば、ＰＩＤ制御内部計器）を表示領域ＴＬに表示する。
また、第２画面生成部３５２Ｂは、上記読み出した状態情報の略全ての情報に基づいて、各表示領域Ｖ１〜Ｖ４に表示すべき値を演算する。そして、第２画面生成部３５２Ｂは、演算結果をそれぞれ各表示領域Ｖ１〜Ｖ４に表示する。
さらに、第２画面生成部３５２Ｂは、上記読み出した状態情報に基づいて、表示領域Ｇ１，Ｇ２に表示すべき棒グラフ及びトレンドグラフを生成する。そして、第２画面生成部３５２Ｂは、生成した棒グラフ及びトレンドグラフを表示領域Ｇ１，Ｇ２にそれぞれ表示する。
以上の処理により、第２画面生成部３５２Ｂは、第２ウィンドウＷ２を生成する。
【００４０】
また、第２画面生成部３５２Ｂは、図６に示すように、第１画面生成部３５２Ａにて生成された複数の第１ウィンドウＷ１Ａ〜Ｗ１Ｊのうち表示面積の拡大を指示された第１ウィンドウＷ１Ａ以外の複数の第１ウィンドウＷ１Ｂ〜Ｗ１Ｊをカスケード表示する。
図８は、図６に示すループパネルの一部を拡大した図である。
具体的に、第２画面生成部３５２Ｂは、図８に示すように、タイトルを示す表示領域ＴＬを判別可能に、複数の第１ウィンドウＷ１Ｂ〜Ｗ１Ｊを上側から下側に向けてカスケード表示する。すなわち、第２画面生成部３５２Ｂは、複数の第１ウィンドウＷ１Ｂ〜Ｗ１Ｊのうち第１ウィンドウＷ１Ｂを最背面に位置付け、第１ウィンドウＷ１Ｂの前面に第１ウィンドウＷ１Ｃ〜Ｗ１Ｉを順に位置付け、第１ウィンドウＷ１Ｊを最前面に位置付ける。
【００４１】
また、第２画面生成部３５２Ｂは、ステップＳ５において複数の第１ウィンドウＷ１Ｂ〜Ｗ１Ｊに対応する各内部計器の動作状態に異常が生じたと判断されていた場合には、異常が生じている内部計器に対応する第１ウィンドウに異常を示す異常情報を付加する。
例えば、ステップＳ５において第１ウィンドウＷ１Ｂに対応する内部計器の動作状態に異常が生じたと判断されていた場合には、第２画面生成部３５２Ｂは、第１ウィンドウＷ１Ｂの表示領域（他の第１ウィンドウＷ１Ｃ〜Ｗ１Ｊにより表示が遮られていない領域（図８の例では表示領域ＴＬに近接した位置））に異常を示す異常情報を表示する。
なお、図８の例では、目標値が上限値を超えたことを示す「ＳＨ」の文字（異常情報）が表示されている。
【００４２】
そして、第２画面生成部３５２Ｂは、図６に示すように、生成した第２ウィンドウＷ２と、カスケード表示した複数の第１ウィンドウＷ１Ｂ〜Ｗ１Ｊとを左右に並べて配置するとともに、下方にループパネルＬＰの表示の終了操作を促す終了アイコンＥＡを表示したループパネルＬＰを生成する。
続いて、第２画面生成部３５２Ｂは、生成したループパネルＬＰを表示部３１に表示させる（ステップＳ９）。
以上説明したステップＳ８，Ｓ９は、本発明に係る第２画面生成ステップに相当する。
【００４３】
続いて、制御部３５は、表示部３１に表示された画面の切替操作があったか否かを判断する（ステップＳ１０）。
具体的に、制御部３５は、ステップＳ１０において、オペレータによる操作入力部３２の操作（マウス操作）により、第２ウィンドウＷ２の表示位置にマウスカーソルが位置付けられ、マウスのダブルクリック操作があったか否かを判断する。
制御部３５は、ステップＳ１０において「Ｙｅｓ」と判断した場合には、ステップＳ２へ移行し、表示部３１に表示させる画面をグループパネルＧＰに切り替える。
【００４４】
一方、ステップＳ１０において「Ｎｏ」と判断された場合には、第２画面生成部３５２Ｂは、ステップＳ５と同様に、メモリ部３６に記憶された複数の状態情報のうち、表示対象とされた内部計器の状態情報にアラームが含まれているか否かを判断する（ステップＳ１１）。
第２画面生成部３５２Ｂは、ステップＳ１１において「Ｙｅｓ」と判断した場合には、動作状態に異常が生じた内部計器をオペレータに認識させるために、ループパネルＬＰを再生成する（ステップＳ１２）。
【００４５】
図９は、図３に示すステップＳ１２で再生成されたループパネルの一例を示す図である。なお、図９では、図６と同様に、複数の第１ウィンドウＷ１Ｂ〜Ｗ１Ｊ及び第２ウィンドウＷ２内部にそれぞれ表示される情報を省略し、各第１ウィンドウＷ１Ｂ〜Ｗ１Ｊ及び第２ウィンドウＷ２のレイアウトを示している。
第２画面生成部３５２Ｂは、カスケード表示した複数の第１ウィンドウＷ１Ｂ〜Ｗ１Ｊのうち第１ウィンドウＷ１Ｅに対応する内部計器の動作状態に異常が生じた場合には、図９に示すように、第１ウィンドウＷ１Ｅを最前面に位置付ける。また、第２画面生成部３５２Ｂは、第１ウィンドウＷ１Ｅにおける枠の表示色を他の第１ウィンドウＷ１Ｂ〜Ｗ１Ｄ，Ｗ１Ｆ〜Ｗ１Ｊとは異なる表示色に変更する（図９では太線で記載）。
また、第２画面生成部３５２Ｂは、第２ウィンドウＷ２に対応する内部計器の動作状態に異常が生じた場合には、第２ウィンドウＷ２内に異常を示す異常情報（例えば、図８に示す文字「ＳＨ」等）を付加する。
以上のようにループパネルＬＰを再生成した後、第２画面生成部３５２Ｂは、ステップＳ９へ移行し、再生成したループパネルＬＰを表示部３１に表示させる。
【００４６】
一方、表示対象とされた全ての内部計器の動作状態に異常が生じていないと判断された場合（ステップＳ１１：Ｎｏ）には、制御部３５は、オペレータによる操作入力部３２の操作により、ループパネルＬＰの表示の終了操作があったか否かを判断する（ステップＳ１３）。
具体的に、制御部３５は、ステップＳ１３において、オペレータによる操作入力部３２の操作（マウス操作）により、終了アイコンＥＡの表示位置にマウスカーソルが位置付けられ、マウスのクリック操作があったか否かを判断する。
制御部３５は、ステップＳ１３において「Ｎｏ」と判断した場合にはステップＳ９へ移行してループパネルＬＰの表示を継続し、ステップＳ１２において「Ｙｅｓ」と判断した場合にはループパネルＬＰの表示を終了してメニュー画面を表示部３１に表示させる。
【００４７】
以上説明した本実施の形態では、オペレータステーション３は、操作入力部３２がグループパネルＧＰ中の一つの第１ウィンドウＷ１Ａにおける表示面積の拡大を指示する拡大操作を受け付けた場合に、当該一つの第１ウィンドウＷ１Ａの表示面積を拡大したループパネルＬＰを表示部３１に表示する。このため、一つの内部計器の動作状態をオペレータに認識させ易い表示とすることができる。
また、ループパネルＬＰにおいて、他の第１ウィンドウＷ１Ｂ〜Ｗ１Ｊについては、内部計器のタイトルの表示領域ＴＬを判別可能にカスケード表示し、動作状態に異常が生じている場合には、カスケード表示により表示が遮られていない領域（表示領域ＴＬに近接した位置）に異常を示す異常情報を付加する。このため、他の内部計器の動作状態の異常をオペレータに認識させることができる。
特に、他の第１ウィンドウＷ１Ｂ〜Ｗ１Ｊについては、カスケード表示しているため、表示領域（ウィンドウにおける枠の大きさ）が縮小されない。すなわち、ループパネルＬＰでの表示領域ＴＬの大きさとグループパネルＧＰでの表示領域ＴＬの大きさとを同一とすることができる。このため、ループパネルＬＰでも、表示領域ＴＬに近接した位置に付加した異常情報により、他の内部計器の動作状態の異常をオペレータに認識させ易い表示とすることができる。
以上のことから、本実施の形態によれば、一つの内部計器の動作状態をオペレータに認識させ易い表示としながら、他の内部計器の動作状態の異常をオペレータに認識させることができる。
【００４８】
また、本実施の形態では、オペレータステーション３は、ループパネルＬＰを表示部３１に表示している際に、カスケード表示した複数の第１ウィンドウＷ１Ｂ〜Ｗ１Ｃに対応する内部計器の動作状態に異常が生じた場合には、当該異常が生じた内部計器に対応する第１ウィンドウＷ１Ｅを最前面に表示する。また、オペレータステーション３は、当該第１ウィンドウＷ１Ｅにおける枠の表示色を他の第１ウィンドウＷ１Ｂ〜Ｗ１Ｄ，Ｗ１Ｆ〜Ｗ１Ｊとは異なる表示色に変更する。
このため、他の内部計器の動作状態の異常をオペレータに容易に認識させることができる。また、第１ウィンドウＷ１Ｅに示された情報から異常の詳細をオペレータに認識させ、パラメータ変更アイコンＵＡ，ＤＡ等への操作により、当該異常への対応をオペレータに即座に実施させることができる。
【００４９】
さらに、本実施の形態では、オペレータステーション３は、複数の内部計器のうち、表示部３１に表示させる表示対象を設定し、設定した内部計器に対応したグループパネルＧＰ及びループパネルＬＰを表示する。
このため、例えば、一の内部計器の動作状態が他の内部計器の動作状態に影響を及ぼすような互いに関連した内部計器を表示対象として設定しておけば、これらの内部計器の動作状態をグループパネルＧＰやループパネルＬＰにより統括的に監視することができる。
特に、ループパネルＧＰにおいて、一の内部計器の動作状態を変更（第２ウィンドウＷ２を操作（パラメータ変更アイコンＵＡ，ＤＡ等を操作））し、他の内部計器の動作状態に異常が生じた場合には、異常が生じた内部計器に対応する第１ウィンドウＷ１Ｅが最前面に表示されるため、プラントＰの稼動状態の監視を効果的に行うことができる。
【００５０】
（本実施の形態の変形例）
ここまで、本発明を実施するための形態を説明してきたが、本発明は上述した実施の形態によってのみ限定されるべきものではない。
上述した実施の形態では、第２画面生成部３５２Ｂは、第２ウィンドウＷ２を左側に配置し、カスケード表示した第１ウィンドウＷ１Ｂ〜Ｗ１Ｊを右側に配置したループパネル３５２を生成していたが、これに限られない。
図１０及び図１１は、本発明の実施の形態の変形例に係るループパネルを示す図である。
例えば、第２画面生成部３５２Ｂの処理として、オペレータによる操作入力部３２の操作（マウス操作）により、第２ウィンドウＷ２の表示位置にマウスカーソルが位置付けられ、マウスの左から右へのドラッグ操作があった場合には、図１０に示すように、第２ウィンドウＷ２及び第１ウィンドウＷ１Ｂ〜Ｗ１Ｊの配置を変更しても構わない。
具体的に、第２画面生成部３５２Ｂは、上述した操作があった場合には、第２ウィンドウＷ２の表示領域と、カスケード表示した第１ウィンドウＷ１Ｂ〜Ｗ１Ｊの全表示領域とが重ならないように、第２ウィンドウＷ２及び第１ウィンドウＷ１Ｂ〜Ｗ１Ｊの配置を変更する。
図１０（ｂ）では、第２ウィンドウＷ２の配置を右側に変更し、カスケード表示した第１ウィンドウＷ１Ｂ〜Ｗ１Ｊの配置を左側に変更した例を示している。
【００５１】
また、例えば、第２画面生成部３５２Ｂの処理として、図１１（ａ）に示すように、第２ウィンドウＷ２を上側に配置し、左側から右側に向けて順次重ねてカスケード表示した第１ウィンドウＷ１Ｂ〜Ｗ１Ｊを下側に配置したループパネルＬＰを生成するように構成しても構わない。
この場合も上記同様に、第２画面生成部３５２Ｂの処理として、マウスのドラッグ操作があった場合に、第２ウィンドウＷ２の表示領域と、カスケード表示した第１ウィンドウＷ１Ｂ〜Ｗ１Ｊの全表示領域とが重ならないように、第２ウィンドウＷ２及び第１ウィンドウＷ１Ｂ〜Ｗ１Ｊの配置を変更しても構わない。
図１１（ｂ）では、第２ウィンドウＷ２の配置を下側に変更し、カスケード表示した第１ウィンドウＷ１Ｂ〜Ｗ１Ｊを上側に変更した例を示している。
【００５２】
また、上述した実施の形態では、第２画面生成部３５２Ｂは、カスケード表示した複数の第１ウィンドウＷ１Ｂ〜Ｗ１Ｊのうち第１ウィンドウＷ１Ｅに対応する内部計器の動作状態に異常が生じた場合には、第１ウィンドウＷ１Ｅの表示位置を変更せずに、第１ウィンドウＷ１Ｅを最前面に位置付けていたが、これに限られない。
図１２は、本発明の実施の形態の変形例に係るループパネルを示す図である。
例えば、第２画面生成部３５２Ｂの処理として、上記の場合に、異常が生じた第１ウィンドウＷ１Ｅが最前面に位置するように複数の第１ウィンドウＷ１Ｂ〜Ｗ１Ｊをカスケード表示したループパネルＬＰを再生成するように構成しても構わない。
すなわち、第１ウィンドウＷ１Ｅの表示位置は、図１２に示すように、元々、最前面に位置付けられていた第１ウィンドウＷ１Ｊの表示位置に変更されることとなる。
このように構成した場合には、他の第１ウィンドウＷ１Ｂ〜Ｗ１Ｄ，Ｗ１Ｆ〜Ｗ１Ｊにおける各表示領域ＴＬが第１ウィンドウＷ１Ｅにより遮られることがない。このため、第１ウィンドウＷ１Ｅに示された情報から異常の詳細をオペレータに認識させ、かつ、当該異常への対応をオペレータに即座に実施させることができるとともに、他の第１ウィンドウＷ１Ｂ〜Ｗ１Ｄ，Ｗ１Ｆ〜Ｗ１Ｊに異常が生じているか否かをオペレータに認識させることもできる。
【００５３】
さらに、上述した実施の形態では、第２画面生成部３５２Ｂは、ループパネルＬＰを生成する際、他の第１ウィンドウＷ１Ｂ〜Ｗ１Ｊを表示部３１にカスケード表示させていたが、これに限られない。
例えば、第２画面生成部３５２Ｂの処理として、他の第１ウィンドウＷ１Ｂ〜Ｗ１Ｊを表示部３１にタイル表示させても構わない。
特に、第２画面生成部３５２Ｂの処理としては、画面の混み具合に応じて、すなわち、表示面積の拡大を指示された第１ウィンドウを除く他の第１ウィンドウの数に基づいて、当該他の第１ウィンドウを表示部３１にカスケード表示させるか、または、タイル表示させるかを選択することが好ましい。
【００５４】
例えば、表示対象として４個以上の内部計器が選択されている場合（他の第１ウィンドウの数が所定の数（３つ）以上である場合）には、第２画面生成部３５２Ｂは、上述した実施の形態と同様に、他の第１ウィンドウを表示部３１にカスケード表示させる。
一方、表示対象として４個未満の内部計器が選択されている場合（他の第１ウィンドウの数が前記所定の数（３つ）未満である場合）には、第２画面生成部３５２Ｂは、上述した実施の形態とは異なり、他の第１ウィンドウを表示部３１にタイル表示させる。
【００５５】
図１３は、本発明の実施の形態の変形例に係るループパネルを示す図である。
なお、図１３は、表示対象として３個の内部計器が選択され、操作入力部３２が第１ウィンドウＷ１Ａにおける表示面積の拡大を指示する拡大操作を受け付けた場合でのループパネルＬＰ、すなわち、第１ウィンドウＷ１Ａにおける表示面積を拡大させた第２ウィンドウＷ２と、２つの第１ウィンドウＷ１Ｂ，Ｗ１Ｃとを示している。
具体的に、第２画面生成部３５２Ｂは、図１３に示すように、表示面積の拡大を指示された第１ウィンドウＷ１Ａを除く他の第１ウィンドウＷ１Ｂ，Ｗ１Ｃの数（２つ）に基づいて、第２ウィンドウＷ２の表示領域とは異なる表示領域に、他の第１ウィンドウＷ１Ｂ，Ｗ１Ｃを表示部３１にタイル表示させる。
なお、タイル表示させる際、第１ウィンドウＷ１Ｂ，Ｗ１Ｃ間に隙間を設けた表示態様（図１３）に限られず、第１ウィンドウＷ１Ｂ，Ｗ１Ｃ間に隙間を設けない（第１ウィンドウＷ１Ｂ，Ｗ１Ｃ同士が接している）表示態様としても構わない。グループパネルＧＰでも同様に、第１ウィンドウＷ１Ａ〜Ｗ１Ｊ間に隙間を設けた表示態様（図４）に限られず、第１ウィンドウＷ１Ａ〜Ｗ１Ｊ間に隙間を設けない表示態様としても構わない。
【００５６】
さらに、上述した実施の形態では、表示設定部３５１は、オペレータによる操作入力部３２の操作により選択された内部計器を表示対象として設定していたが、これに限られず、制御対象や制御方式等に基づいて、複数の内部計器のうち互いに関連する内部計器を自動的に設定するように構成しても構わない。
【００５７】
また、上述した実施の形態では、制御装置２から送信される状態情報に監視値に対するアラームが含まれており、すなわち、制御装置２にて内部計器における動作状態の異常の判定を行っていたが、これに限られない。例えば、制御装置２にて異常の判定を行わず、監視値に対するアラームが含まれていない状態情報に基づいてオペレータステーション３が内部計器における動作状態の異常の判定を行うように構成しても構わない。
【００５８】
また、処理フローは、上述した実施の形態で説明したフローチャートにおける処理の順序に限られず、矛盾のない範囲で変更しても構わない。
さらに、本明細書においてフローチャートを用いて説明した処理のアルゴリズムは、プログラムとして記述することが可能である。このようなプログラムは、コンピュータ内部の記録部に記録してもよいし、コンピュータ読み取り可能な記録媒体に記録してもよい。プログラムの記録部または記録媒体への記録は、コンピュータまたは記録媒体を製品として出荷する際に行ってもよいし、情報ネットワークを介したダウンロードにより行ってもよい。
【符号の説明】
【００５９】
１  プラント監視システム
２  制御装置
３  オペレータステーション
４  制御ネットワーク
５  データベースステーション
６  プリンタ
７  情報ネットワーク
３１  表示部
３２  操作入力部
３３  第１通信部
３４  第２通信部
３５  制御部
３６  メモリ部
３５１  表示設定部
３５２  表示制御部
３５２Ａ  第１画面生成部
３５２Ｂ  第２画面生成部
３５３  制御パラメータ変更部
Ｐ  プラント
Ｐ１，Ｐ２  機器
ＧＰ  グループパネル
ＬＰ  ループパネル
Ｗ１Ａ〜Ｗ１Ｊ  第１ウィンドウ
Ｗ２  第２ウィンドウ
ＥＡ  終了アイコン
ＴＬ，Ｖ１〜Ｖ４，Ｇ１，Ｇ２  表示領域
ＵＡ，ＤＡ  パラメータ変更アイコン
Ｇ２Ｐ，Ｇ２Ｓ，Ｇ２Ｍ  タグ
【図１】
2015011507.tif 000003
【図２】
2015011507.tif 000004
【図３】
2015011507.tif 000005
【図４】
2015011507.tif 000006
【図５】
2015011507.tif 000007
【図６】
2015011507.tif 000008
【図７】
2015011507.tif 000009
【図８】
2015011507.tif 000010
【図９】
2015011507.tif 000011
【図１０】
2015011507.tif 000012
【図１１】
2015011507.tif 000013
【図１２】
2015011507.tif 000014
【図１３】
2015011507.tif 000015